(57)【要約】【課題】反射シート、拡散板、拡散シートがずれたり、ゆがんだりして取り付けられるのを抑制することができ、組み立てが容易で、組み立て誤差によるばらつきが発生しにくく、製造コストを低減することができる液晶表示装置を提供する。【解決手段】反射シート２の係合部２３の貫通孔２４を突部１４が貫通し、なおかつ、拡散板４及び拡散板４に重ねられた拡散シート５の短辺がライトフレーム３３の段差部３３０と係合するとともに長辺が突部１４と当接するように配置されている。【選択図】図１
2008116832.tif 000002
【特許請求の範囲】
【請求項１】
金属板を切り曲げて形成され、長方形状の底面と、前記底面の両方の長辺よりそれぞれ立設された立ち上がり部と、前記立ち上がり部から平行で且つ外方向へ折曲した支持部とを備えたリヤフレームと、
前記リヤフレームの底面、立ち上がり部及び支持部と密接するように取り付けられる反射シートと、
前記反射シートの上方に配置されたＵ字状の陰極管を有するバックライトと、
下側に前記バックライトを保持する保持部を備えたライトフレームと、
前記ライトフレーム及び前記支持部上に配置され光を拡散させる長方形状の拡散板と、
前記拡散板に重ねて配置される２枚の長方形状の拡散シートと、
前記拡散シートが載置された前記拡散板及び拡散シートの外周部を押える枠状のセルガイドと、
前記セルガイドの上部に配置され、透明電極が配設された一対のガラス基板間に液晶が封入された液晶セルと、
前記セルガイド及び前記液晶セルを押さえる枠状のベゼルとを有する液晶表示装置であって、
前記リヤフレームの前記支持部には、切り起こしにより上方に突出された突部が形成されており、
前記反射シートは前記支持部と密接する部分に前記突部が貫通するべく形成された貫通孔を有しており、
前記ライトフレームは上部に段差が形成されており、
前記拡散板及び該拡散板と重ねて配置される拡散シートはその短辺が前記ライトフレームの段差と係合されているとともに、長辺の一部が前記突部に当接されていることを特徴とする液晶表示装置。
【請求項２】
金属板を切り曲げて形成され、長方形状の底面と、前記底面の両方の長辺よりそれぞれ立設された立ち上がり部と、前記立ち上がり部から平行で且つ外方向へ折曲した支持部とを備えたリヤフレームと、
前記リヤフレームに取り付けられる反射シートと、
前記反射シートの上方に配置されたバックライトを保持する保持部を下側に備えたライトフレームと、
前記ライトフレーム及び前記支持部上に配置され光を拡散させる長方形状の拡散板とを有する液晶表示装置であって、
前記支持部には上方に突出された突部が形成されており、
前記ライトフレームは上側に段差を有しており、
前記拡散板は短辺が前記ライトフレームの段差と係合されるとともに、長辺の一部が前記リヤフレームの突部と当接されていることを特徴とする液晶表示装置。
【請求項３】
前記リヤフレームは金属板を切り曲げて形成されるものであり、前記突部は前記リヤフレームの前記係合部を切り起こすことで形成されていることを特徴とする請求項２に記載の液晶表示装置。
【請求項４】
前記拡散板の上部には１又は複数の拡散シートが配置されており、前記拡散シートも短辺がライトフレームの段差と係合し、長辺の一部が前記リヤフレームの突部に当接されていることを特徴とする請求項２又は請求項３に液晶表示装置。
【請求項５】
前記反射シートは前記突部と係合するための係合部を有していることを特徴とする請求項２から請求項４のいずれかに記載の液晶表示装置。
【請求項６】
前記係合部は貫通孔であることを特徴とする請求項５に記載の液晶表示装置。
【発明の詳細な説明】
【技術分野】
【０００１】
本発明は、液晶表示装置に関するものであり、より詳しくは、反射シート、拡散シート、拡散板等の光学部材の取付構造に関するものである。
【背景技術】
【０００２】
液晶表示装置は、薄型、軽量、低消費電力であり、ノートＰＣ、ＰＣ用モニタ、家庭用ＴＶ受像機等に広く用いられている。これまでの液晶表示装置は、バックライトより出射された光を液晶セルに透過させ、映像を形成するものである。前記液晶表示装置は前記バックライトから出射された光を反射する反射シート、前記バックライトから出射された光及び前記反射シートで反射された光を拡散させるための拡散板及び前記拡散板と重ねて配置され光の拡散効果を高めるための拡散シート等の光学部材を備えている。
【０００３】
前記液晶表示装置では、前記反射シートはリヤフレームに接着用シートで貼り付けられるものであり、該反射シートを前記リヤパネルに取り付けた後にバックライトが取り付けられる。リヤフレームに反射シート及びバックライトが配置され、該バックライトを固定するためのライトフレームが配置される。前記拡散板及び前記拡散シートは、該拡散シートを該拡散板に重ね、前記ライトフレームに載せた状態で上部よりガイド部材にて押さえて取り付けられている。
【０００４】
前記液晶表示装置の性能は前記反射シート、前記拡散板及び前記拡散シートの前記リヤフレームや前記バックライトに対する位置の精度によって大きく変化する。しかしながら、従来の液晶表示装置において、前記反射シート、前記拡散板及び前記拡散シートは取付時に位置決めされるものであり、作業のばらつきによって構造的又は（及び）性能的に不具合が発生する可能性もある。
【０００５】
そこで、特開２００５−９１８２１号公報に記載の発明は、メインフレームとサブフレームの間に、反射シート、光源、導光板及び光学シート（拡散シート、プリズムシート、保護シート）を配置した液晶表示装置であり、前記メインフレーム及び前記サブフレームに形成された小突起が、前記光学シートに形成された開口を貫通することで、前記光学シートの位置決めをするものを開示している。
【０００６】
また、特開２００４−３５８２３６号公報に記載の発明は、矩形状の底面の外周部より垂直に立ち上がる壁部を有しており、その壁部に形成された孔に導光板の突起部、液晶表示パネルの突起部を挿入して組みつけられた液晶表示装置を開示している。
【０００７】
【特許文献１】特開２００５−９１８２１号公報
【特許文献２】特開２００４−３５８２３６号公報
【発明の開示】
【発明が解決しようとする課題】
【０００８】
しかしながら、特開２００５−９１８２１号公報に記載の発明では、複数枚の光学シートに形成された孔に小突起を貫通させるので、すべての光学シートに孔を空けなくてはならず、手間と時間がかかる。また、前記孔を前記複数枚の光学シートを重ねたときに重なるように形成しなくてはならず、加工精度が要求される。
【０００９】
また、特開２００４−３５８２３６号公報に記載の発明では、導光板、液晶表示パネルに突起部を形成しておかねばならず、導光板、液晶表示パネルの製造に手間と時間がかかる。また、突起部を設けたことで形状が複雑になり、力のかかり方が複雑になり予想外の位置で破損する原因になったりする。
【００１０】
そこで本発明は、反射シート、拡散板、拡散シートを配置するときに、速やかに正確な位置に配置することができ、それだけ、組み立てが容易で、組み立て誤差によるばらつきが発生しにくい液晶表示装置を提供することを目的とする。
【００１１】
また本発明は、反射シート、拡散板、拡散シートを所定の位置に正確に配置し、前記各部材の大きさを必要最小限にとどめることができ、それだけ、製造コストを低減することができる液晶表示装置を提供することを目的とする。
【００１２】
さらに本発明は、反射シート、拡散板、拡散シートがずれたり、ゆがんだりして取り付けられるのを抑制することができ、前記各部材以外の部材を容易且つ速やかに取り付けることができる液晶表示装置を提供することを目的とする。
【課題を解決するための手段】
【００１３】
上記目的を達成するために本発明は、金属板を切り曲げて形成され、長方形状の底面と、前記底面の両方の長辺よりそれぞれ立設された立ち上がり部と、前記立ち上がり部から平行で且つ外方向へ折曲した支持部とを備えたリヤフレームと、前記リヤフレームに取り付けられる反射シートと、前記反射シートの上方に配置されたバックライトを保持する保持部を下側に備えたライトフレームと、前記ライトフレーム及び前記支持部上に配置され光を拡散させる長方形状の拡散板とを有する液晶表示装置であって、前記支持部には上方に突出された突部が形成されており、前記ライトフレームは上側に段差を有しており、前記拡散板は短辺が前記ライトフレームの段差と係合されるとともに、長辺の一部が前記リヤフレームの突部と当接されていることを特徴とする。
【００１４】
この構成によると、特別な部材を用いたり、特殊な方法を用いたりすることなく、前記拡散板を所定の取付位置に正確に取り付けることが可能である。このことにより、製造時の組み立て誤差によって、前記液晶表示装置の表示性能にばらつきが発生するのを低減することが可能である。
【００１５】
上記構成において、前記リヤフレームが金属板を切り曲げて形成されるものであり、前記突部は前記リヤフレームの前記係合部を切り起こすことで形成されていてもよい。
【００１６】
上記構成において前記拡散板の上部には１又は複数の拡散シートが配置されており、前記拡散シートも短辺がライトフレームの段差と係合し、長辺の一部が前記リヤフレームの突部に当接されていてもよい。
【００１７】
上記構成において前記反射シートは前記突部と係合するための係合部を有していてもよく、前記係合部として貫通孔を挙げることができる。
【００１８】
この構成によると、前記反射シートを接着等の固定方法を用いることなく、前記リヤフレームの所定の位置に正確に配置することが可能である。前記反射シートを正確な位置に配置することで、反射効率を高めることができるとともに、前記反射シートがバックライトやライトフレーム等の前記リヤフレームに取り付けられる部材を配置するときの障害になるのを抑制することができる。
【００１９】
本発明にかかる液晶表示装置のさらに詳細な例は、以下に示すものであってもよい。すなわち、金属板を切り曲げて形成され、長方形状の底面と、前記底面の両方の長辺よりそれぞれ立設された立ち上がり部と、前記立ち上がり部から平行で且つ外方向へ折曲した支持部とを備えたリヤフレームと、前記リヤフレームの底面、立ち上がり部及び支持部と密接するように取り付けられる反射シートと、前記反射シートの上方に配置されたＵ字状の陰極管を有するバックライトと、下側に前記バックライトを保持する保持部を備えたライトフレームと、前記ライトフレーム及び前記支持部上に配置され光を拡散させる長方形状の拡散板と、前記拡散板に重ねて配置される２枚の長方形状の拡散シートと、前記拡散シートが載置された前記拡散板及び拡散シートの外周部を押える枠状のセルガイドと、前記セルガイドの上部に配置され、透明電極が配設された一対のガラス基板間に液晶が封入された液晶セルと、前記セルガイド及び前記液晶セルを押さえる枠状のベゼルとを有する液晶表示装置であって、前記リヤフレームの前記支持部には、切り起こしにより上方に突出された突部が形成されており、前記反射シートは前記支持部と密接する部分に前記突部が貫通するべく形成された貫通孔を有しており、前記ライトフレームは上部に段差が形成されており、前記拡散板及び該拡散板と重ねて配置される拡散シートはその短辺が前記ライトフレームの段差と係合されているとともに、長辺の一部が前記突部に当接されていることを特徴とする液晶表示装置。
【発明の効果】
【００２０】
本発明によると、反射シート、拡散板、拡散シートを配置するときに、速やかに正確な位置に配置することができ、それだけ、組み立てが容易で、組み立て誤差によるばらつきが発生しにくい液晶表示装置を提供することができる。
【００２１】
また本発明によると、反射シート、拡散板、拡散シートを所定の位置に正確に配置し、前記各部材の大きさを必要最小限にとどめることができ、それだけ、製造コストを低減することができる液晶表示装置を提供することができる。
【００２２】
さらに本発明によると、反射シート、拡散板、拡散シートがずれたり、ゆがんだりして取り付けられるのを抑制することができ、前記各部材以外の部材を容易且つ速やかに取り付けることができる液晶表示装置を提供することができる。
【発明を実施するための最良の形態】
【００２３】
以下に本発明の実施形態を図面を参照して説明する。図１は本発明にかかる液晶表示装置の一例の分解斜視図であり、図２は図１に示す液晶表示装置の平面図であり、図３は図２に示す液晶表示装置をＸ−Ｘ断面で切断したときの断面図であり、図４は図２に示す液晶表示装置をＹ−Ｙ断面で切断したときの断面図である。図２、図３、図４では便宜上、セルガイド、液晶セル及びベゼルの図示を省略している。図１に示す液晶表示装置はリヤフレーム１、反射シート２、バックライト３、拡散板４、拡散シート５、セルガイド６、液晶セル７、ベゼル８がこの順番に積層されている。
【００２４】
リヤフレーム１金属板を切り曲げて形成されているものであり、矩形状の底面１１と、底面１１の長辺の端部より、外側に向けて斜めに立ち上がる立ち上がり部１２と、底面１１と平行になるように立ち上がり部１２の先端と一体に形成された支持部１３と、支持部１３より突出する突部１４とが形成されている。立ち上がり部１２及び支持部１３は底面１１の２つの長辺のいずれにも形成されており、突部１４はそれには限定されないが、ここでは、支持部１３に２個ずつ合計４個形成されているものである。突部１４は支持部１３を切り起こして形成されるものであり、支持部１３と一体に形成されるものである。
【００２５】
反射シート２はリヤフレーム１に取り付けられるものであり、底面１１と密着する本体部２１と、立ち上がり部１２の内面と密着する接続部２２と、支持部１３と密着する係合部２３とを備えている。反射シート２はバックライト３より出射される光のうちケース１側に向けて出射される光を液晶セル６側に反射するためのものである。接続部２２は底面１１の２個の長辺と一体に形成されるものであり、反射シート２に２個形成されている。また、係合部２３は２個の接続部２２それぞれと一体に形成されるものであり、２個形成されている。
【００２６】
バックライト３は液晶表示装置の光源であり、それには限定されないがここではＵ字状の形状の陰極管３０と、陰極管３０の両端部を保持するとともに電力を供給するためのソケット３１とを有している。陰極管３０は中央でＵ字状に折り返す折り返し部３２を有しており、バックライト３は折り返し部３２の近傍とソケット３１の近傍をライトフレーム３３で押さえられていることで、リヤフレーム１に固定されている。ソケット３１には図示を省略しているが、電力を供給するための配線が接続されている。バックライト３はそれには限定されないがここでは、陰極管３０を６個備えたものである。
【００２７】
拡散板４は矩形状を有しており、リヤフレーム１の支持部１３及びライトフレーム３３の上部に配置されるものである。拡散板４はバックライト３より出射された光及び反射シート２にて反射された光を拡散させ光の強度を均一化するものである。拡散シート５は拡散板４と同じ矩形状のシートであり、拡散板４に重ねて配置されるものである。拡散シート５は拡散板４からの光の均一度をよりいっそう高めるためのものである。光の均一度を十分に高めることができる拡散板４を用いることができる場合、拡散シート５を省略しても良い。
【００２８】
リヤフレーム１の支持部１３及びライトフレーム３３の上に配置された拡散板４及び拡散シート５の上からセルガイド６が取り付けられ、拡散板４及び拡散シート５を押さえている。セルガイド６は樹脂で形成されており、長枠部６１と短枠部６２とを連結して形成された、矩形状の枠体である。セルガイド６は枠体で拡散板４及び拡散シート５の外周部を押さえる。セルガイド６の上面には段差部が形成されており、液晶セル７はこの段差部に係合され位置決めされる。セルガイド６はリヤフレーム１及びライトフレーム３３にボルト留めにて固定される。また、セルガイド６は枠状の形状であり、中央部に開口６０が形成されている。
【００２９】
拡散板４及び拡散シート５で拡散された光はセルガイド６の中央の開口６０より液晶セル７に照射される。液晶セル７は透明電極が配置されたガラス基板の間に液晶が封入されている。液晶セル７は長方形状を有しており、一方のガラス基板の一方の長辺部にはゲートドライバが取り付けられたゲート基板７１がフレキシブル基板７０を介して取り付けられている。また、他方のガラス基板の一方の短辺部にはソースドライバが取り付けられたソース基板７２がフレキシブル基板７０を介して取り付けられている。液晶セル７には、ゲート基板７１及びソース基板７２より電力が供給され、ガラス基板の間に封入された液晶を駆動するものである。
【００３０】
ベゼル８は中央に形成された開口部８０を有している。ベゼル８は図示を省略したボルトを用いてセルガイド６と連結固定されるものであり、それには限定されないが、ここでは、金属板を切り曲げて形成されるものである。ベゼル８がセルガイド６に取り付けられることで、セルガイド６に配置された液晶セル７の側端部が押えられる。
【００３１】
図２、図４に示すように、反射シート２の係合部２３には、貫通孔２４が形成されている。貫通孔２４は２個の係合部２３に２個ずつ、反射シート２に４個形成されている。反射シート２をリヤフレーム１に取り付けるときに、リヤフレーム１の突部１４が貫通孔２４を貫通するように配置することで、反射シート２をリヤフレーム１に対して、正確な位置、還元すると、反射効率が良くなる位置に位置決めすることができる。また、突部１４が貫通孔２４を貫通しているので、反射シート２をリヤフレーム１に固定するための接着手段を省略することができ、それだけ、製造に手間と時間を省略することができる。
【００３２】
また、接着を行わないので、接着手段の収縮・膨張や接着手段の取付不備等によって、反射シート２にしわがよるのを抑制することができ、それだけ、反射シート２がその能力を充分発揮するように配置することができる。これにより、反射光が不均一になるのを抑制することができ、安定した表示を行うことができる。
【００３３】
図３、図４に示すように、拡散板４はその短辺がライトフレーム３３に形成されている段差部３３０と係合するように配置されている。このように係合されて配置されることで、拡散板４は長手方向にずれることがない。また、拡散板４の長辺は突部１４と当接することで、短手方向にずれることがない。このように、拡散板４はライトフレーム３３の段差部３３０及び突部１４と当接されることで、正確な位置に位置決めされる。また、拡散板４に重ねて配置される２枚の拡散シート５も同様に、ライトフレーム３３の段差部３３０及び突部１４と当接されることで、位置決めされる。
【００３４】
このように、ライトフレーム３３の段差部３３０及び突部１４とで、拡散板４及び拡散シート５とを位置決めすることができるので、位置決めを行うための作業工程を削減することができる。
【００３５】
上述の各実施例では光源として陰極管３０を用いるものを例に説明しているが、それに限定されるものではなく、液晶セル６に十分な光を入射させることができる光源を広く採用することができるが、発熱量の少ないものが好ましい。また、光源であるバックライト３としてＵ字状の陰極管３０を有するものを例に説明しているが、それに限定されるものではなく、液晶セル６に十分且つ偏らないように光を入射させることができるものを広く採用することができる。また、液晶表示装置として、光源であるバックライト３を３個備えたものを例に説明しているが、それに限定されるものではなく、液晶セル６に十分且つ偏らないように光を入射させることができる個数のものを広く採用することができる。
【００３６】
以上、発明の実施形態を具体的に説明したが、本発明は上記実施形態に限定するものではなく、その要旨を逸脱しない範囲で種々変更可能である。
【産業上の利用可能性】
【００３７】
本発明は、液晶ディスプレイ等の液晶表示装置において適用することができる。
【図面の簡単な説明】
【００３８】
【図１】本発明にかかる液晶表示装置の一例の分解斜視図である。
【図２】図１に示す液晶表示装置の平面図である。
【図３】図２に示す液晶表示装置をＸ−Ｘ断面で切断したときの断面図である。
【図４】図２に示す液晶表示装置をＹ−Ｙ断面で切断したときの断面図である。
【符号の説明】
【００３９】
１  リヤフレーム
１１  底面
１２  立ち上がり部
１３  支持部
１４  突部
２  反射シート
２１  本体部
２２  接続部
２３  係合部
２４  貫通孔
３  バックライト
３０  陰極管
３１  ソケット
３３  ライトフレーム
４  拡散板
５  拡散シート
６  セルガイド
７  液晶セル
７１  ゲート基板
７２  ソース基板
８  ベゼル
【図１】
2008116832.tif 000003
【図２】
2008116832.tif 000004
【図３】
2008116832.tif 000005
【図４】
2008116832.tif 000006